(57)【特許請求の範囲】
【請求項１】
一又は複数のボタン電話機が接続可能で第１速度、または前記第１速度より高速であり電話機の種別信号に対して最適の速度を判断して第２速度とし、これら複数の伝送速度によりデータ伝送を行うインタフェース装置であって、
前記ボタン電話機に対して、前記第１速度でデータ伝送を行い、前記ボタン電話機から前記第１速度でデータ伝送があれば前記第１速度でのデータ伝送を確立する第１伝送手段と、
前記ボタン電話機に対して、種別信号を要求する要求信号を伝送し、前記ボタン電話機から前記第１速度を示す種別信号を受信した際は前記第１速度での通信を確立し、前記第１速度よりも高速な前記第２速度を示す種別信号を受信した際は前記電話機の種別信号に対して最適の速度である第２速度でデータ伝送を確立する第２伝送手段と、
前記ボタン電話機に対して、前記第２速度で通信を行なうべく、第２速度でデータ伝送を行い、前記ボタン電話機から前記第２速度でデータ伝送があれば前記第２速度でのデータ伝送を確立し、所定時間を経過しても、前記ボタン電話機から前記第２速度でデータ伝送がなく、更にカウントアップを行いカウンタが所定回数になるまで、再び前記第２速度で前記ボタン電話機と通信を行ない、これでも応答を得ることができないと、前記第１速度でのデータ伝送を確立する、第３伝送手段と、
を具備することを特徴とするインタフェース装置。
【請求項２】
通信回線を介して他のボタン電話機等と通話を行う一又は複数のボタン電話機と、前記複数のボタン電話機が接続可能で第１速度、または前記第１速度より高速であり電話機の種別信号に対して最適の速度を判断して第２速度とし、前記第１速度または前記第２速度によりデータ伝送を行うインタフェース装置を有するボタン電話システムであって、
前記ボタン電話機において、第１速度でデータ伝送を受けると、前記インタフェース装置に対して、第１速度でデータ伝送を行い、第２速度でデータ伝送を受けると、第２速度でデータ伝送が可能な場合に第２速度でデータ伝送を行う第１伝送手段と、
前記ボタン電話機において、要求信号を受けると前記第１速度または第２速度のどちらで通信を行なうかを示す種別信号を送信する種別信号送信手段と、
前記インタフェース装置において、前記ボタン電話機に対して、前記第１速度でデータ伝送を行い、前記ボタン電話機から前記第１速度でデータ伝送があれば前記第１速度でのデータ伝送を確立する第２伝送手段と、
前記インタフェース装置において、前記ボタン電話機に対して、前記種別信号を要求する要求信号を伝送し、前記ボタン電話機から前記第１速度を示す種別信号を受信した際は前記第１速度での通信を確立し、前記第２速度を示す種別信号を受信した際は前記電話機の種別信号に対して最適の速度である第２速度でデータ伝送を確立する第３伝送手段と、
前記インタフェース装置において、前記ボタン電話機に対して、前記第２速度で通信を行なうべく、第２速度でデータ伝送を行い、前記ボタン電話機から前記第２速度でデータ伝送があれば前記第２速度でのデータ伝送を確立し、所定時間を経過しても、前記ボタン電話機から前記第２速度でデータ伝送がなく、更にカウントアップを行いカウンタが所定回数になるまで、再び前記第２速度で前記ボタン電話機と通信を行ない、これでも応答を得ることができないと、前記第１速度でのデータ伝送を確立する第４伝送手段と、を有することを特徴とするボタン電話システム。
【発明の詳細な説明】
【０００１】
【発明の属する技術分野】
本発明は、ボタン電話機のためのインタフェース装置、及びボタン電話機とこのインタフェース装置とを供えたボタン電話システムに関する。
【０００２】
【従来の技術】
最近、電話機においてはモジュール化が進み、ユーザの希望に応じて必要なユニットを接続し、希望の電話システムを構成しこれを利用することが容易になってきている。
【０００３】
ここで、複数の伝送速度を提供するボタン電話機１（簡単のため、高速と低速の２つの速度を提供するものとする）、低速のみを提供するボタン電話機２、複数の伝送速度を提供するインタフェースカードＡ１３（簡単のため、高速と低速の２つの速度を提供するものとする）、及び、低速の伝送速度のみを提供するインタフェースカードＢとが相互が接続可能でた構成について考える。ここでインタフェースカードとボタン電話機間の制御データは、ＳＩＯにより送受信されるものとする。
【０００４】
上記、組み合わせで接続を行う場合、以下の要求仕様を満足するものでなければならない。
【０００５】
第１に、ボタン電話機とインタフェースカードの伝送速度を一致させ、適切なデータの送受信を行う必要がある。
【０００６】
第２に、高速伝送を必要とするボタン電話機１（１１）とインタフェースカードＡの伝送速度は、高速伝送にする（低速でデータ転送しないようにする）必要がある。
【０００７】
従来装置においては、伝送の同期をとる場合、高速から低速へフォールバッグし、ボタン電話機とインタフェースカードが互いにリンクしたところで、伝送速度が決定される。又、伝送の同期がとれているかを判断する場合、パリティチェック、ＣＲＣ方式等のチェック方式で判定するか、または、特定のデータを認識できるかで判定を行なう。しかし、この方法では、以下のような問題が発生する。
【０００８】
つまり、ボタン電話機とインタフェースカードの接続タイミング（立ち上がりタイミング）により、ボタン電話機１とインタフェースカードＡが低速度で接続されてしまう。
【０００９】
更に、ボタン電話機２をインタフェースカードＡに接続した場合、インタフェースカードＡから送信される高速データをボタン電話機２が誤認識する可能性がある。
【００１０】
【発明が解決しようとする課題】
上述したように、従来電話システムにおいては、ボタン電話機とインタフェースカードとの接続タイミングによっては、両者が低速度で接続されてしまい、高速でデータ転送が可能であっても高速データ転送で接続されないという問題があり、更に複数のボタン電話機をインタフェースに接続していると、インタフェースからの高速データをボタン電話機が誤認識して接続してしまうという問題がある。
【００１１】
本発明は、接続されたボタン電話機の機種に応じた最適な伝送速度によってデータ転送を実現するインタフェース装置及びこれを用いたボタン電話システムを提供することを目的とする。
【００１２】
【課題を解決するための手段】
課題を解決するための一実施形態は、
一又は複数のボタン電話機が接続可能で第１速度、または前記第１速度より高速であり電話機の種別信号に対して最適の速度を判断して第２速度とし、これら複数の伝送速度によりデータ伝送を行うインタフェース装置であって、
前記ボタン電話機に対して、第１速度でデータ伝送を行い、前記ボタン電話機から前記第１速度でデータ伝送があれば前記第１速度でのデータ伝送を確立する第１伝送手段と、
前記ボタン電話機に対して、種別信号を要求する要求信号を伝送し、前記ボタン電話機から前記第１速度を示す種別信号を受信した際は前記第１速度での通信を確立し、前記第１速度よりも高速な第２速度を示す種別信号を受信した際は前記電話機の種別信号に対して最適の速度である第２速度でデータ伝送を確立する、第２伝送手段と、
前記ボタン電話機に対して、前記第２速度で通信を行なうべく、第２速度でデータ伝送を行い、前記ボタン電話機から前記第２速度でデータ伝送があれば前記第２速度でのデータ伝送を確立し、所定時間を経過しても、前記ボタン電話機から前記第２速度でデータ伝送がなく、更にカウントアップを行いカウンタが所定回数になるまで、再び前記第２速度で前記ボタン電話機と通信を行ない、これでも応答を得ることができないと、前記第１速度でのデータ伝送を確立する、第３伝送手段と、
を具備することを特徴とするインタフェース装置。
更に請求項５に記載の本発明は、一又は複数のボタン電話機が接続可能で複数の伝送速度によりデータ転送を行うインタフェース装置であって、前記ボタン電話機に対して起動直後は第１速度でデータ転送を確立した後に、前記ボタン電話機が前記第１速度よりも高速度の第２速度でデータ転送が可能かどうかを示す種別信号を前記ボタン電話機から受け取りこれに基づき前記第２速度でデータ転送を行うことを決定する伝送速度決定手段と、前記伝送速度決定手段が前記第２速度によりデータ転送を行うことを決定するとき、前記第１速度から前記第２速度へと伝送速度を変更してデータ転送を行う伝送速度変更手段とを有することを特徴とするインタフェース装置である。
本発明は上記したように、起動時は低い伝送速度でボタン電話機とインタフェース装置とのデータ転送を確立しておき、更にこのデータ転送を利用してボタン電話機の種別信号を検知しこれに基づいて最適の伝送速度を判断する。そして、この判断結果に応じた伝送速度へと伝送速度を変更することで、最適の伝送速度を持ったインタフェース装置を提供することが可能となる。
【００２４】
【発明の実施の形態】
以下、この発明の一実施の形態について図面を参照して以下に説明する。
【００２５】
初めに、添付図面を参照して本発明の実施の形態に関わる速度モード切り替え方式を備えたボタン電話システムを説明する。簡単のため、速度モードは、高速と低速の２つのモードとするが、３つ以上の速度変更も可能なことは言うまでもない。ボタン電話システムについても、本発明に関わる部分について以下に説明を行う。
【００２６】
図１は、本発明の実施の形態に関わるボタン電話システムのシステム構成を示す図である。ボタン電話システムは、高速と低速の伝送速度を提供するボタン電話機１（１１）、低速の伝送速度のみを提供するボタン電話機２（１２）、高速と低速の伝送速度を提供するインタフェースカードＡ１３、及び、低速の伝送速度のみを提供するインタフェースＢ１４を収容している。更に全体の動作を制御するＣＰＵ１５が設けられ、データハイウェイ１６，ＰＣＭハイウェイ１７に対するデータ転送を行う。このような構成において、インタフェースカードＡとボタン電話機１（１１）との間のデータ転送は高速伝送で、それ以外は低速伝送が行われる。
【００２７】
又図２は、インタフェースカードＡ１３又はＢ１４のブロック構成を示したものである。インタフェースカードＡ１３は、ピンポン伝送を行うＰＰＴ３１と、インタフェースカード全体を制御するＣＰＵ３２から構成される。このＰＰＴ３１には、高速と低速の伝送速度を提供するボタン電話機１（１１）と低速のみを提供するボタン電話機２（１２）が接続される。また、ＣＰＵ３２の働きにより、ボタン電話機１（１１）との伝送速度が最適に制御される。
【００２８】
又図３は、ボタン電話機１（１１）の外観を示したもので、ハンドセット４５、ＬＣＤ４１、ダイヤルキー４６、回線キー４７等から構成されている。
【００２９】
更に図４は、ボタン電話機１（１１）のブロック図を示したもので、ピンポン伝送を行うＰＰＴ４２、ＬＣＤ表示を行うＬＣＤ４１、音声データを制御するＣＯＤＥＣ４４、そしてボタン電話機１（１１）全体を制御するＣＰＵ４３から構成される。この構成において、ＣＰＵ４３にて、インタフェースカードＡ１３との伝送速度が制御される。
【００３０】
ボタン電話機１（１１）は回線を介して他のボタン電話装置が接続可能で、電話に係わる信号の送受信を行うＰＰＴ（ピンポン伝送部）４２、音声データを制御するＣＯＤＥＣ（デジタルコーデック）４４、装置全体を総括制御するメインＣＰＵ４３から構成されている。
【００３１】
図５は、図１〜図４により構成された、ボタン電話機１（１１）とそれを接続するインタフェースカードの伝送速度切り替え方式を示したフローチャートである。以下、このフローチャートに従って、インタフェースカードＡ１３とボタン電話機１（１１）を例に取って本発明を説明する。
【００３２】
インタフェースカードＡ１３は、低速モードで動作している。しかし、ボタン電話機１（１１）が未接続の場合、回線側からは応答が返らないのでデータ転送は行えない。その後、ボタン電話機１（１１）をインタフェースカードＡ１３に接続した時、インタフェースカードＡ１３、ボタン電話機１（１１）は、ともに低速モードでデータ転送を行う（Ｓ１１〜Ｓ１４）。
【００３３】
同期が確立した段階で、インタフェースカードＡ１３は、ボタン電話機１（１１）に対し、端末の種別を問い合わせる種識別信号要求を送出する（Ｓ１５）。端末の種別信号要求を受け取ったボタン電話機１（１１）は（Ｓ１６）、端末の種別信号（ここでは、ボタン電話機１（１１）をインタフェースカードＡ１３に返信する（Ｓ１７）。端末種別を受け取ったインタフェースカードＡ１３は、端末種別を分析し（Ｓ１８）、その端末に対応した伝送速度切り替え要求（ここでは、高速切り替え要求であるが、さもなくば低速転送が続行される（Ｓ１９））をボタン電話機１（１１）へ送信する（Ｓ２０）。伝送速度切り替え要求を受信したディジタル端末１１は、インタフェースカードＡ１３に切り替えＯＫの信号を送出後（Ｓ２１）、伝送速度を高速モードへ遷移させる。インタフェースカードＡ１３も同様に、切り替えＯＫの信号受信後、高速モードに切り替わり（Ｓ２２）、以降、高速データでのデータ伝送が行われる（Ｓ２４，Ｓ２５）。
【００３４】
このような手順により、本発明により、ディジタル端末の種類に応じて最適の伝送速度が自動的に与えられ、安定したデータ転送を自動的に可能にするボタン電話システムを提供することが可能となる。
【００３５】
又更に図６に高速から低速へ遷移する例を挙げ、本発明の変形例として説明する。図６において、インタフェースカードＡ１３は、高速でデータをボタン電話機１（１１）へ転送する（Ｓ３１）。これを受けたボタン電話機１（１１）は、高速でデータの受信ができるかどうかを判断し（Ｓ３２）、可能なら高速データを転送する（Ｓ３３）。インタフェースカードＡ１３は、高速データの応答があったことが確認できれば（Ｓ３４）、そのまま高速転送を続行することができ（Ｓ３５）、一方ボタン電話機１（１１）も高速転送を続行し（Ｓ３６）、高速転送が確立したことになる。
【００３６】
しかし、ここで何らかの原因でインタフェースカードＡ１３の受信がうまくいかなければ、一例として所定時間の待機を行い（Ｓ３７）、更にカウントアップの後に（Ｓ３８）カウンタが所定回数になるまで（Ｓ４０）再び、高速でデータをボタン電話機１（１１）に転送する（Ｓ３１）。これでも、例えばデータ転送異常等でインタフェースカードＡ１３が応答を得ることができず（Ｓ３４）、更にボタン電話１（１１）の方でも所定時間Ｔの経過があったとすると（Ｓ３９）、低速度にてデータ転送を確立するための手順に移行する。
【００３７】
つまり、インタフェースＡ１３においては、高速データから低速データに切り換えてこれをボタン電話機１（１１）へ転送する（Ｓ４１）。そして、ボタン電話機１（１１）の方でも、この低速データの受信が確認できれば（Ｓ４２）、自らも低速データをインタフェースカードＡ１３へ転送し（Ｓ４３）、これにより相互に低速転送を確立することが可能となる（Ｓ４４，４５）。
【００３８】
このように、インタフェースカードＡ１３とボタン電話機１（１１）との間は、初めに高速度でのデータ転送を試し、これが不可能であれば、次に低速度のデータ転送を確立するべく試みる方法であっても良い。
【００３９】
なお、これらの実施形態の記載は、本発明の製造・使用をこの技術分野の当業者に容易にするものであり、これらの様々な変形例が、発明的な飛躍なしに、当業者により可能である。このように、本発明は、記載された実施形態に限定されるものではなく、この原理と新規な特徴に対応した広い範囲での形態に応じるものである。
【００４０】
【発明の効果】
以上詳述したようにこの発明によれば、インタフェースカードとボタン電話機とのデータ転送において、起動時が接続可能でたデータ転送において、ボタン電話機の種別信号を検出することにより、より最適な転送速度を認識することが可能となり、自動的に安定して高速なデータ転送処理を実現することができるインタフェース装置及びこれを用いたボタン電話システムを提供することが可能となる。
【図面の簡単な説明】
【図１】本発明に係るボタン電話システムのブロックダイアグラム。
【図２】本発明に係るインタフェースカードのブロックダイアグラム。
【図３】本発明に係るボタン電話機の外観図。
【図４】本発明に係るボタン電話機のブロックダイアグラム。
【図５】本発明に係るボタン電話システムの第１の伝送速度決定手順を説明するためのフローチャート。
【図６】本発明に係るボタン電話システムの第２の伝送速度決定手順を説明するためのフローチャート。
【符号の説明】
１１…ボタン電話機１、１２…ボタン電話機２、１３…インタフェースカードＡ、１４…インタフェースカードＢ、１５…ＣＰＵ、１６…データハイウェイ、１７…ＰＣＭハイウェイ、３１…ＰＰＴ（ピンポン伝送部）、３２…ＣＰＵ
【図１】
0004497584.tif 000002
【図２】
0004497584.tif 000003
【図３】
0004497584.tif 000004
【図４】
0004497584.tif 000005
【図５】
0004497584.tif 000006
【図６】
0004497584.tif 000007